(57)【要約】【課題】洗浄ブラシのサイズを変えることなくタイヤの洗浄面を拡大でき、大径化するタイヤ全体を洗浄できるタイヤ洗浄装置を備えた洗車機を提供することを目的とする。【解決手段】洗車機のタイヤブラシ装置１９は、円筒状に束ねられ被洗浄車両のタイヤをブラッシングするブラシ毛３１およびブラシ毛３１の後端部にてブラシ毛３１を把持する円盤状のブラシ基部３２から形成されるブラシ手段３０と、ブラシ基部３２を連結して回転駆動させる駆動手段５０と、この駆動手段５０を支持してタイヤに向かって出退動させる出退動手段４０とを有し、ブラシ基部３２が駆動手段５０により連結される回転中心を、ブラシ基部３２の円の中心より偏心させる。この構成により、被洗浄車両のタイヤの洗浄面を拡大でき、大径タイヤ全体を洗浄することができる。【選択図】図１
2009126368.tif 000002
【特許請求の範囲】
【請求項１】
被洗浄車両を跨ぐ門型の洗車機本体と被洗浄車両を前後方向に相対移動させながら洗浄手段により前記被洗浄車両の洗浄を実行する洗車機であって、
前記洗浄手段として、前記洗車機本体内側に、前記前後方向と直行する左右方向に一対の前記被洗浄車両のタイヤを洗浄するタイヤブラシ装置を備え、
前記各タイヤブラシ装置はそれぞれ、
円筒状に束ねられ、前記被洗浄車両のタイヤをその先端部でブラッシングするブラシ、および円筒状に束ねられた前記ブラシの後端部にて前記ブラシを把持する円盤状のブラシ把持板から形成されるブラシ手段と、
前記ブラシ把持板に連結され、ブラシ把持板を回転駆動する駆動手段と、
前記駆動手段を支持して前記ブラシ手段および前記駆動手段を前記被洗浄車両のタイヤに向かって出退動させる出退動手段と
を有し、
前記ブラシ把持板が前記駆動手段により連結される回転中心を、前記ブラシ把持板の円の中心より偏心させたこと
を特徴とする洗車機。
【請求項２】
前記各出退動手段はそれぞれ、
前記洗車機本体内側から前記左右方向に延びるブラケットと、
前記ブラケットの先端部に間隔を空けて、一端が回転自在に支持され、所定の長さを有して前記左右方向へ揺動される２本のリンク部材と、
前記駆動手段を支持し、前記各リンク部材の他端に連結され、前記リンク部材の揺動に伴って前記左右方向にスライドされるスライド部材と、
前記ブラケットの後端部にシリンダが回転自在に支持され、前記リンク部材の中間部にロッドが連結され、前記リンク部材を揺動駆動させるシリンダ装置と
を備え、
前記シリンダ装置のロッドの伸縮動に伴い前記リンク部材が前記左右方向に揺動されると、前記スライド部材が前記左右方向にスライドされ、前記駆動手段に連結された前記ブラシ手段が被洗浄車両のタイヤに向かって出退動されること
を特徴とする請求項１に記載の洗車機。
【請求項３】
前記駆動手段は、
駆動源として出力軸の先端に駆動スプロケットが設けられたモータと、
前記駆動スプロケットに無端駆動体を介して連動される従動スプロケットを一端側に有し、他端側にて前記ブラシ把持板に連結される駆動軸と、
前記モータおよび前記駆動軸が連結され、前記駆動スプロケット、前記無端駆動体および前記従動スプロケットが内部に組み込まれ、前記出退動手段に支持される動力伝達部材
を備え、
前記モータの駆動に伴い前記駆動スプロケット、前記無端駆動体、前記従動スプロケットおよび前記駆動軸を介して前記ブラシ手段が回転駆動されること
を特徴とする請求項１または請求項２に記載の洗車機。
【請求項４】
前記ブラシ把持板に、前記ブラシ把持板の円の中心より前記円の外方に向かって溝部を形成し、前記駆動手段により連結される回転中心を前記溝部に沿って調整可能としたこと
を特徴とする請求項１〜請求項３のいずれか１項に記載の洗車機。
【発明の詳細な説明】
【技術分野】
【０００１】
本発明は、たとえば給油所に設置され、被洗浄車両を洗車する洗車機、特にそのタイヤ洗浄装置に関するものである。
【背景技術】
【０００２】
従来洗車機に備えられるタイヤ洗浄装置の一例として、特許文献１に車輪洗浄装置が開示されている。
この車輪洗浄装置は、洗車機本体の内側に、洗車機本体の前後方向と直行する左右方向へ可動するよう下部が軸支された主リンクと、その主リンクの上部に、前記左右方向へ可動するよう上部が軸支された副リンクと、その副リンクの下部に軸支され、前記左右方向へ移動する移動支持体と、タイヤを洗浄する車輪洗浄ブラシと、この移動支持体に支持されて前記車輪洗浄ブラシを支持する水平なブラシ支持軸と、そのブラシ支持軸を主リンクおよび副リンクの揺動位置に関係なく水平姿勢に保持する水平姿勢保持手段と、主リンクの揺動に連動して副リンクを揺動させる連動手段と、主リンクおよび副リンクを揺動駆動し得る揺動駆動手段と、車輪洗浄ブラシを回動駆動し得る回動駆動手段を備え、主リンクの長さが副リンクより長い構成とされ、揺動駆動手段を作動させて主リンクを前進揺動させ、連動手段により連動されて副リンク、および移動支持体上の車輪洗浄ブラシを前進揺動させ、洗浄ブラシが被洗浄車両のタイヤに圧接すると、揺動駆動手段による適度な押し付け力で回転駆動手段により車輪洗浄ブラシを回転駆動させてブラッシング洗浄が実行される。
【０００３】
上記車輪洗浄装置によれば、被洗浄車両のタイヤが洗浄されるだけでなく、車輪洗浄ブラシの格納時に、移動支持体に連なり車輪洗浄ブラシよりも上方で起立姿勢となる副リンクの軸間距離を、フレーム側の主リンクの軸間距離より短くしたことにより、車輪洗浄装置の前記主リンクと副リンクとは、広範囲に重なり合い、該装置が左右方向にコンパクトに構成され、また車輪洗浄ブラシを格納する時の車輪洗浄装置の高さを低くし、車輪洗浄装置の周辺において、洗車機本体に他の洗浄機器を配置する自由度を高くしている。
【特許文献１】特開２００５‐０２２４８７号公報
【発明の開示】
【発明が解決しようとする課題】
【０００４】
しかしながら、近年見られる車両の多様化に伴い、タイヤのホイールが大径化の傾向にあり、上記従来の車輪洗浄装置では、被洗浄車両のタイヤ全体を洗浄することが困難になってきている。このような問題を解決するために洗浄ブラシのサイズを大きくすることが考えられるが、洗車機本体に配設される他の洗浄機器および洗車機本体と接触することが危惧され、洗浄ブラシを大きくすることにより洗浄ブラシによるタイヤの洗浄面を拡大することは困難である。また、洗浄ブラシのサイズを大きくすると、洗浄ブラシに掛かるコストが増加することも明白な問題である。
【０００５】
そこで、本発明は、洗浄ブラシのサイズを変えることなく被洗浄車両のタイヤの洗浄面を拡大でき、大径化するタイヤ全体を洗浄できるタイヤ洗浄装置を備えた洗車機を提供することを目的としたものである。
【課題を解決するための手段】
【０００６】
前述した目的を達成するために、本発明のうち請求項１に記載の発明は、被洗浄車両を跨ぐ門型の洗車機本体と被洗浄車両を前後方向に相対移動させながら洗浄手段により前記被洗浄車両の洗浄を実行する洗車機であって、前記洗浄手段として、前記洗車機本体内側に、前記前後方向と直行する左右方向に一対の前記被洗浄車両のタイヤを洗浄するタイヤブラシ装置を備え、
前記各タイヤブラシ装置はそれぞれ、円筒状に束ねられ、前記被洗浄車両のタイヤをその先端部でブラッシングするブラシ、および円筒状に束ねられた前記ブラシの後端部にて前記ブラシを把持する円盤状のブラシ把持板から形成されるブラシ手段と、前記ブラシ把持板に連結され、ブラシ把持板を回転駆動する駆動手段と、前記駆動手段を支持して前記ブラシ手段および前記駆動手段を前記被洗浄車両のタイヤに向かって出退動させる出退動手段とを有し、前記ブラシ把持板が前記駆動手段により連結される回転中心を、前記ブラシ把持板の円の中心より偏心させたことを特徴とするものである。
【０００７】
上記構成によれば、洗車機本体と被洗浄車両を前後方向に相対移動させながら洗浄手段により前記被洗浄車両の洗浄が実行されると、出退動手段により被洗浄車両のタイヤに向かって駆動手段により回転駆動されたブラシ手段が出動されて、被洗浄車両のタイヤの洗浄が実行される。このとき、ブラシ手段のブラシ把持板が駆動手段により連結される回転中心を、前記ブラシ把持板の円の中心より偏心させたことにより、ブラシにより洗浄されるタイヤの洗浄面が前記ブラシ把持板に把持されるブラシの円の面積だけでなく、前記円の半径と前記ブラシ把持板の円の中心から前記駆動手段により連結される回転中心までの距離とを加算したものを半径とする円の面積が、前記ブラシによるタイヤの洗浄面となり、被洗浄車両のタイヤの洗浄面が拡大される。
【０００８】
また請求項２に記載の発明は、請求項１に記載の発明であって、前記各出退動手段はそれぞれ、前記洗車機本体内側から前記左右方向に延びるブラケットと、前記ブラケットの先端部に間隔を空けて、一端が回転自在に支持され、所定の長さを有して前記左右方向へ揺動される２本のリンク部材と、前記駆動手段を支持し、前記各リンク部材の他端に連結され、前記リンク部材の揺動に伴って前記左右方向にスライドされるスライド部材と、前記ブラケットの後端部にシリンダが回転自在に支持され、前記リンク部材の中間部にロッドが連結され、前記リンク部材を揺動駆動させるシリンダ装置とを備え、前記シリンダ装置のロッドの伸縮動に伴い前記リンク部材が前記左右方向に揺動されると、前記スライド部材が前記左右方向にスライドされ、前記駆動手段に連結された前記ブラシ手段が被洗浄車両のタイヤに向かって出退動されることを特徴とするものである。
【０００９】
上記構成によれば、シリンダ装置のロッドの伸縮動に伴いリンク部材が前記左右方向に揺動されると、スライド部材が左右方向にスライドされ、駆動手段に連結されたブラシ手段が被洗浄車両のタイヤに向かって出退動される。
【００１０】
また請求項３に記載の発明は、請求項１または請求項２に記載の発明であって、前記駆動手段は、駆動源として出力軸の先端に駆動スプロケットが設けられたモータと、前記駆動スプロケットに無端駆動体を介して連動される従動スプロケットを一端側に有し、他端側にて前記ブラシ把持板に連結される駆動軸と、前記モータおよび前記駆動軸が連結され、前記駆動スプロケット、前記無端駆動体および前記従動スプロケットが内部に組み込まれ、前記出退動手段に支持される動力伝達部材を備え、前記モータの駆動に伴い前記駆動スプロケット、前記無端駆動体、前記従動スプロケットおよび前記駆動軸を介して前記ブラシ手段が回転駆動されることを特徴とするものである。
【００１１】
上記構成によれば、モータの駆動に伴い従動スプロケット、無端駆動体、従動スプロケットおよび駆動軸を介して、ブラシ把持板を前記駆動軸が支持する前記ブラシ把持板の円の中心より偏心させた位置を回転中心としてブラシ手段が回転駆動される。
【００１２】
また請求項４に記載の発明は、請求項１〜請求項３のいずれか１項に記載の発明であって、前記ブラシ把持板に、前記ブラシ把持板の円の中心より前記円の外方に向かって溝部を形成し、前記駆動手段により連結される回転中心を前記溝部に沿って調整可能としたことを特徴とするものである。
【００１３】
上記構成によれば、ブラシ把持板に、前記ブラシ把持板の円の中心より前記円の外方に向かって溝部を形成し、前記駆動手段により連結される回転中心を前記溝部に沿って調整することにより、ブラシにより洗浄されるタイヤの洗浄面が、被洗浄車両のタイヤのサイズに応じて設定される。
【発明の効果】
【００１４】
本発明の洗車機によれば、ブラシ手段により被洗浄車両のタイヤの洗浄が実行されるとき、ブラシ把持板が駆動手段により連結される回転中心を、前記ブラシ把持板の円の中心より偏心させたことにより、ブラシにより洗浄されるタイヤの洗浄面が前記ブラシ把持板に把持されるブラシの円の面積だけでなく、前記円の半径と前記ブラシ把持板の円の中心から前記駆動手段により連結される回転中心までの距離とを加算したものを半径とする円の面積が、前記ブラシによるタイヤの洗浄面となることにより、被洗浄車両のタイヤの洗浄面を拡大でき、大径タイヤ全体を洗浄することができる。
【発明を実施するための最良の形態】
【００１５】
以下に、本発明の実施の形態における洗車機について、図面を参照しながら説明する。
本実施の形態の洗車機は、被洗浄車両（以下、車両という）５に対して洗車機本体を前後方向に走行させながら（車両と洗車機本体を前後方向に相対移動させながらの一例）車両５の洗浄を行う洗車機である。なお、本実施の形態における動作説明においては、車両５にＲＶ車系（オフロード車系）が使用されている。以下、洗車機本体の走行方向を前後方向Ａとし、この前後方向と直行する方向を左右方向Ｂとする。
【００１６】
図４および図５に示すように、門形の洗車機本体１０は複数個の車輪１１を介して床側のレール１上に載置されており、走行駆動装置（図示せず）の作動により前後方向Ａの一定経路上で往復走行される。洗車機本体１０には、車両５へのスプレー装置として、第１洗浄水ノズル１２と、第１洗剤ノズル１３と、第２洗浄水ノズル１４と、撥水コート剤ノズル１５と、第２洗剤ノズル１６と、ワックスノズル１７とが、前部から後部に亘って、この順で配設されている。ここで各ノズル１２〜１７は、たとえばアーチ状に構成されている。
【００１７】
そして洗車機本体１０には、車両５のブラッシング装置（洗浄手段の一例）として、サイドブラシ装置１８と、ロッカーブラシ装置１８Ａと、左右方向Ｂへ出退動自在で車両５のタイヤＷを洗浄する左右一対のタイヤブラシ装置１９と、昇降自在なトップブラシ装置２０が配設されている。さらに洗車機本体１０には、車両５の乾燥装置として、トップノズル２１と、サイドノズル２２、ならびにトップノズル２１にダクトホース２３を介して接続された左右一対のトップ側ブロワ装置２４、サイドノズル２２にダクトホース２５を介して接続された左右一対のサイド側ブロワ装置２６などが設けられる。
【００１８】
前記洗車機本体１０における縦枠部の右側前面には操作パネル６１が設けられ、そして操作パネル６１の裏面側には、各部の動作を司る制御装置（マイクロコンピュータ）６２が設けられている。また洗車機本体１０内の上部には車高センサ（図示せず）が設けられ、洗車機本体１０のタイヤブラシ装置１９より前方側端に、車両５のタイヤＷを検出する光電スイッチからなるタイヤ検出センサ（図示せず）が設けられている。以上により、車両５と洗車機本体１０を前後方向Ａに相対移動させながら、ブラッシング装置により車両５の洗浄を行うとともに、乾燥装置により車両５の乾燥を行う洗車機の一例が構成される。
【００１９】
以下、タイヤブラシ装置１９について詳細に説明する。
前記タイヤブラシ装置１９は、図１〜図３に示すように、ブラシ手段３０，出退動手段４０および駆動手段５０から構成されている。
【００２０】
前記ブラシ手段３０は、円筒状に束ねられ車両５のタイヤＷをその先端部でブラッシングするブラシ毛（ブラシの一例）３１と、円筒状に束ねられたブラシ毛３１の後端側の端面および外周面に沿ってブラシ毛３１を把持する円盤状のブラシ基部（ブラシ把持板の一例）３２を有しており、よってブラシ手段３０が円筒状に形成されている。
【００２１】
またブラシ毛３１と接触しないブラシ基部３２の裏面には、ブラシ手段３０を回転駆動させる駆動手段５０の回転駆動軸（駆動軸の一例；詳細は後述）５１と連結される孔部３３が、円盤状のブラシ基部３２の中心より偏心して設けられ、回転駆動軸５１が、例えばボルト，ナット等の固定手段３４により連結されている。
【００２２】
図６（ｂ）に示すように、従来のブラシによる洗浄面は、ブラシの中心と回転駆動軸５１が連結されているため、ブラシの半径ｒによる円の面積でしかないが、これに対して、従来のブラシの半径ｒと等しい半径ｒの上記ブラシ手段３０の構成によれば、図６（ａ）に示すように、ブラシ手段３０の回転中心がブラシ基部３２の中心より偏心して設けられているため、ブラシ手段３０による車両５の洗浄面は、ブラシ基部３２の半径ｒとブラシ基部３２の中心からブラシ基部３２の中心より偏心して設けられている回転中心までの距離を加算した半径Ｒによる円の面積となり、ブラシのサイズを大きくすることなくタイヤＷの洗浄面が拡大される。
【００２３】
前記出退動手段４０は、前記洗車機本体１０の内側より、タイヤブラシ装置１９が格納された状態での左右方向Ｂの長さで、洗車機本体１０の中心部に向かって左右方向Ｂに延びるブラケット４１と、このブラケット４１の先端部に間隔を空けて、一端が回転自在に支持され、所定の長さを有して前記左右方向Ｂへ揺動される２本のロッド（リンク部材の一例）４２と、これらのロッド４２の他端に連結され、前記駆動手段５０を支持し、ロッド４２の揺動に伴って左右方向Ｂにスライドされる移動連結体（スライド部材の一例）４３と、ブラケット４１の後端部にシリンダ（本体）が回転自在に支持され、前記ロッド４２の中間部にシリンダロッド４４ａが連結され、前記ロッド４２を揺動駆動させるシリンダ装置４４を備えている。
【００２４】
また２本のロッド４２は、前記移動連結体４３を水平方向に支持し、且つタイヤブラシ装置１９が出動状態となるに従い下降するように、ブラケット４１の先端より設けられる間隔、および各ロッド４２の長さが設定されている。これにより、ブラケット４１側を固定軸とし、移動連結体４３側を可動軸としたリンク機構が形成され、シリンダ装置４４により揺動駆動される。
【００２５】
またシリンダ装置４４は、例えばエアシリンダ装置であって、エアが封入されるシリンダ（本体）内に、シリンダロッド４４ａと、このシリンダロッド４４ａの伸動に反するように、シリンダロッド４４ａに巻かれるバネ（図示せず）を有し、シリンダロッド４４ａの一端がロッド４２に対して回転自在に連結されている。このシリンダ装置４４内にエアを送ると、シリンダロッド４４ａが伸びロッド４２を左右方向Ｂの洗車機本体１０の内方へ揺動させ、すなわちタイヤブラシ装置１９が出動状態にされる。また、シリンダ装置４４内のエアを抜くと、シリンダロッド４４ａはバネにより縮みロッド４２を左右方向Ｂの洗車機本体１０の外方へ揺動させ、すなわちタイヤブラシ装置１９が格納状態にされる。
【００２６】
上記出退動手段４０の構成によれば、移動連結体４３により駆動手段５０を支持し、この駆動手段５０とともに駆動手段５０に連結されているブラシ手段３０を、シリンダ装置４４のシリンダロッド４４ａの伸縮動により、ロッド４２および移動連結体４３を介して車両５のタイヤＷに向かって出退動させ得る。
【００２７】
前記駆動手段５０は、駆動源として出力軸５２ａの先端に駆動スプロケット５３が設けられたモータ５２と、駆動スプロケット５３に伝達チェーン（無端駆動体の一例）５４を介して連動される従動スプロケット５５を一端側に有し、他端側にてブラシ基部３２を回転自在に支持する回転駆動軸５１と、モータ５２および回転駆動軸５１が連結され、前記出退動手段４０の移動連結体４３に支持される伝達アーム（動力伝達部材の一例）５６を備えている。
【００２８】
また伝達アーム５６は、内部が中空状に形成される矩形状の箱体からなり、対向する広面積面の一方の上方にモータ５２が連結され、モータ５２の下方で移動連結体４３により支持され、他方の面において、その下方に回転駆動軸５１が連結されている。また伝達アーム５６の内部には、モータ５２の出力軸５２ａと回転駆動軸５１が挿入され、挿入された出力軸の先端に設けられる駆動スプロケット５３と挿入された回転駆動軸５１の先端に設けられる従動スプロケット５５が伝達チェーン５４を介して連動連結されている。
【００２９】
上記駆動手段５０の構成によれば、モータ５２の駆動に伴い、伝達アーム５６内の駆動スプロケット５３、伝達チェーン５４、従動スプロケット５５および回転駆動軸５１を介して、この回転駆動軸５１に連結されているブラシ手段３０が回転駆動される。
【００３０】
上記タイヤブラシ装置１９の構成において制御装置６２により実行されるタイヤブラシ装置１９の制御および作用を図７に示すフローチャートに基づいて詳しく説明する。
洗車機本体１０の走行が開始され（ステップ−１）、タイヤ検出センサにより車両５のタイヤＷの位置が検出されると、このタイヤ検出センサの出力に基づいてタイヤＷの中心位置を判断する（ステップ−２）。その後、車両５の洗浄を開始した洗車機本体１０の走行に伴い、ブラシ手段３０の回転中心が前輪のタイヤＷの中心位置に到達したことが判断すると（ステップ−３）、洗車機本体１０の走行を停止して、シリンダ装置４４へエアを送る（ステップ−４）。これにより出退動手段４０によりブラシ手段３０の出動が開始される。そしてシリンダ装置４４へエアを予め設定される一定時間送ると（ステップ−５）、ブラシ手段３０が回転駆動可能な位置まで出動されたと判断し、モータ５２を駆動する（ステップ−６）。これによりブラシ手段３０が回転駆動され、ブラシ手段３０が車両５のタイヤＷに接触し、ブラシ手段３０によりタイヤＷの洗浄が実行される。このとき、ブラシ手段３０のブラシ基部３２が回転駆動軸５１に連結される回転中心を、ブラシ基部３２の円の中心より偏心させたことにより、ブラシ手段３０に洗浄されるタイヤＷの洗浄面が、ブラシ毛３１の円の半径ｒとブラシ基部３２の円の中心から回転駆動軸５１に連結される回転中心までの距離とを加算した距離を半径Ｒとする円の面積とされ、ブラシ手段３０によるタイヤＷの洗浄面が拡大され、大径タイヤ全体が洗浄される。
【００３１】
そして、予め設定される時間がカウントされるタイマーをセットし、この時間の経過が判断されると（ステップ−７）、シリンダ装置４４内のエアを排出し、モータ５２の駆動を停止する（ステップ−８）。これにより出退動手段４０にてブラシ手段３０が退動され、ブラシ手段３０の回転が停止される。その後、洗車機本体１０の走行が再開され（ステップ−９）、タイヤブラシ装置１９による車両５の洗浄を終了する。続いて後輪のタイヤＷにおいても同様の制御が実行される。
【００３２】
以下に、上記した実施の形態における作用を説明する。
洗車を行うに際して、まず車両５を停止させた状態で運転者または作業者が操作パネル６１を操作し、希望する一つの洗車コース（洗浄条件）が設定される。この状態で洗車スタートスイッチをオン操作することで、洗車機本体１０を往復走行させながら、回転駆動された各ブラシ１８，１８Ａ，１９，２０の出退動、洗浄水ノズル１２，１４を介しての水（洗浄水）の供給、洗剤ノズル１３，１６を介しての希釈した洗剤の供給、撥水コート剤ノズル１５を介しての希釈した撥水コート剤の供給、ワックスノズル１７を介しての希釈したワックスの供給、ならびに各ノズル２１，２２からの風の吹き付け、などを適宜に組合せて作動させ、車両５に対する所期の基本的な洗浄工程と乾燥工程とが行えることになる。よって、所期の洗車を行える。
【００３３】
このような洗浄工程を遂行する際に、車高センサやタイヤ検出センサおよび適宜の検出手段により車高や車長、タイヤＷ位置などが検出され、制御装置６２により、前述したようにタイヤブラシ装置１９が作動される。
【００３４】
以上のように本実施の形態によれば、タイヤブラシ装置１９により車両５のタイヤＷの洗浄が実行されるとき、ブラシ基部３２が回転駆動軸５１により連結される回転中心を、ブラシ基部３２の円の中心より偏心させたことにより、ブラシ手段３０により洗浄されるタイヤＷの洗浄面がブラシ基部３２に把持されるブラシ毛３１の円の半径ｒによる面積だけでなく、円の半径ｒと前記ブラシ基部３２の円の中心から回転駆動軸５１により連結される回転中心までの距離とを加算した距離を半径Ｒとする円の面積が、ブラシ手段３０によるタイヤＷの洗浄面となることにより、車両５のタイヤＷの洗浄面を拡大でき、大径タイヤ全体を洗浄することができる。
【００３５】
なお、本実施の形態では、ブラシ毛３１と接触しないブラシ基部３２の裏面に、ブラシ手段３０を回転駆動させる回転駆動軸５１が、円盤状のブラシ基部３２の中心より偏心して設けられる孔部３３へ固定手段３４により連結されているが、ブラシ基部３２に、ブラシ基部３２の円の中心より円の外方に向かって溝部を形成し、回転駆動軸５１が連結される位置を前記溝部に沿って調節し、固定手段３４により連結される構成としてもよい。
【００３６】
上記構成によれば、ブラシ基部３２の中心から回転駆動軸５１が連結される回転中心までの距離が無段階に調節され、よってブラシ手段３０による車両５のタイヤＷの洗浄面を無段階に設定することができる。
【００３７】
また本実施の形態では、ブラシ手段３０のサイズを変えることなく車両５のタイヤＷの洗浄面を拡大でき、大径化するタイヤ全体を洗浄できる洗車機のタイヤ洗浄装置を提供することを目的としているが、本実施の別の形態において、タイヤブラシ装置１９がコンパクト化され、且つタイヤブラシ装置１９に掛かるコストを低減できる洗車機のタイヤ洗浄装置を提供することを目的とし、ブラシ基部３２の円の半径を小さくし、すなわちブラシ毛３１を小さくし、ブラシ基部３２の回転中心が前記半径を小さくした距離だけブラシ基部３２の円の中心より外方へ偏心させる構成としてもよい。
【００３８】
上記構成によれば、ブラシ基部３２の円の半径を小さくしても、車両５の洗浄面を元のブラシ手段３０による洗浄面に維持することができ、またブラシ手段３０を小さくすることにより、ブラシ手段３０を連結して回転駆動させる駆動手段５０および前記駆動手段５０を支持する出退動手段４０をも小さく構成することが可能となり、従ってタイヤブラシ装置１９全体を小さく構成することができ、且つタイヤブラシ装置１９に掛かるコストを低減することができる。
【００３９】
また本実施の形態では、洗車機本体１０のみを移動させ、洗車機本体１０と車両５を相対移動させて、車両５の洗車を実行する形式が示されているが、これは洗車機本体１０を固定状態とし、ローラコンベヤ（車両移載手段）などを用いて車両５を前後方向Ａに移動させて、相対移動するようにした形式などであってもよい。また、洗車機本体１０を、洗浄装置を備えた前部本体と、乾燥装置を備えた後部本体とに分離し、これら前部本体と後部本体とをそれぞれ移動可能とした形式などであってもよい。
【００４０】
また本実施の形態では、車両５をＲＶ車としているが、例えば乗用車、ワンボックス系など他の車両であっても、同様の効果を奏し得ることができる。
【図面の簡単な説明】
【００４１】
【図１】本実施の形態における洗車機のタイヤブラシ装置の正面図である。
【図２】同洗車機のタイヤブラシ装置の側面図である。
【図３】同洗車機のタイヤブラシ装置の平面図である。
【図４】同洗車機の洗車機本体の概略正面図である。
【図５】同洗車機の洗車機本体の概略側面図である。
【図６】同洗車機のタイヤブラシ装置のタイヤブラシと従来のタイヤブラシによる洗浄面の比較図である。
【図７】同洗車機の制御装置によるタイヤブラシ装置の動作を説明するフローチャートである。
【符号の説明】
【００４２】
Ａ    前後方向
Ｂ    左右方向
Ｗ    タイヤ
５    車両（被洗浄車両）
１０    洗車機本体
１９    タイヤブラシ装置
３０    ブラシ手段
３１    ブラシ毛
３２    ブラシ基部
４０    出退動手段
４１    ブラケット
４２    ロッド
４３    移動連結体
４４    シリンダ装置
５０    駆動手段
５１    回転駆動軸
５２    モータ
５３    出力軸
５４    駆動スプロケット
５５    伝達チェーン
５６    従動スプロケット
【図１】
2009126368.tif 000003
【図２】
2009126368.tif 000004
【図３】
2009126368.tif 000005
【図４】
2009126368.tif 000006
【図５】
2009126368.tif 000007
【図６】
2009126368.tif 000008
【図７】
2009126368.tif 000009